(57)【要約】      （修正有）【課題】遮光性及び断熱性に極めて優れしかも軽量で取り扱いも簡単でありながら、強度的にも優れた自動車用日除け具を提供する。【解決手段】第１遮光シート体１とこの第１遮光シート体に重合される第２遮光シート体２とが備えられると共に、これら第１遮光シート体及び第２遮光シート体は、密閉断熱空間を画成する多数の凹所が密集して設けられた内側シート１２，２２と、この凹所の開口を閉鎖する外側シート１１，２１から形成され、前記第１遮光シート体の凹所の底壁が前記第２遮光シート体の凹所の底壁２３ａに接合され、第１遮光シート体と第２遮光シート体の外側面に、光を反射させるための反射手段３が形成されている。【選択図】図３
0003134789.tif 000002
【実用新案登録請求の範囲】
【請求項１】
ウインドガラスに対向状に設置して用いる自動車用日除け具であって、第１遮光シート体とこの第１遮光シート体に重合される第２遮光シート体とが備えられると共に、これら第１遮光シート体及び第２遮光シート体は、密閉断熱空間を画成する多数の凹所が密集して設けられた内側シートと、この凹所の開口を閉鎖する外側シートから形成され、前記第１遮光シート体の凹所の底壁が前記第２遮光シート体の凹所の底壁に接合されていることを特徴とする自動車用日除け具。
【請求項２】
請求項２に記載の考案は、請求項１に記載の第１遮光シート体と第２遮光シート体との間に仕切りシートを介装したことを特長とする自動車用日除け具。
【請求項３】
第１遮光シート体と第２遮光シート体の少なくともいずれか一方の外側面に、光を反射させるための反射手段が形成されていることを特徴とする請求項１または２に記載の自動車用日除け具。
【請求項４】
第１遮光シート体と第２遮光シート体の少なくともいずれか一方の外側面が、光触媒機能を有していることを特徴とする請求項１、２または３に記載の自動車用日除け具。
【考案の詳細な説明】
【技術分野】
【０００１】
本考案は、主としてフロントウインドガラスの内面側に取り付けて、太陽光が車室内に差し込むのを防止すると共に、車室内の温度上昇をも抑制するための自動車用日除け具に関する。
【背景技術】
【０００２】
一般に自動車のフロントガラスに取り付けるための日除け具は、例えば、実開平 ４−８９４１６号公報にも示されているように、ウインドガラスのほぼ全面が覆われる大きさに厚紙を裁断して形成されたものであって、使用に際しては、ウインドガラスの内面側に設置して、太陽光を遮る一方、不使用時にあっては、上下方向に延びる複数の折曲げ線に沿って蛇腹状に折り畳んで保管するようにしている。
【０００３】
ところで前述の厚紙製の日除け具は断熱性能が悪いことから、この日除け具でウインドガラスを覆った時、太陽光が車室内に侵入するのを防げるにしても、特に夏場などには車室内が高温となって、ドライバーに不快感を与える不具合がある。
【０００４】
一方、前述の日除け具を例えばダンボールから形成した場合には、表紙部と裏紙部との間に介装されるコルゲートフィンによって、表紙部と裏紙部との間に空気層が出来るので、前述の厚紙製の日除け具よりも断熱性能が得られるにしても、空気層の両端が日除けの上縁と下縁で開口していることから、例えば輻射熱で段ボールの前面が加熱されるに伴い、車内の空気が前述の空気層を下から上に流れ、そのため、前記空気層が断熱機能を充分果たさなくなって、十分な断熱性能を期待することが出来ない。
【考案の開示】
【考案が解決しようとする課題】
【０００５】
本考案は以上の実情に鑑みて開発されてもので、目的とするところは、遮光性及び断熱性に極めて優れしかも軽量で取り扱いも簡単でありながら、強度的にも優れた自動車用日除け具を提供することにある。
【課題を解決するための手段】
【０００６】
前記した目的を達成するために、請求項１に記載の考案は、ウインドガラスに対向状に設置して用いる自動車用日除け具であって、第１遮光シート体とこの第１遮光シート体に重合される第２遮光シート体とが備えられると共に、これら第１遮光シート体及び第２遮光シート体は、密閉断熱空間を画成する多数の凹所が密集して設けられた内側シートと、この凹所の開口を閉鎖する外側シートから形成され、前記第１遮光シート体の凹所の底壁が前記第２遮光シート体の凹所の底壁に接合されていることを特徴とする。
【０００７】
請求項２に記載の考案は、請求項１に記載の第１遮光シート体と第２遮光シート体との間に仕切りシートを介装したことを特長とする。
【０００８】
また請求項３に記載の考案は、請求項１または２に記載の第１遮光シート体と第２遮光シート体の少なくともいずれか一方の外側面に、光を反射させるための反射手段が形成されていることを特徴とする。
【０００９】
また請求項４に記載の考案は、請求項１、２または３に記載の第１遮光シート体と第２遮光シート体の少なくともいずれか一方の外側面が、光触媒機能を有していることを特徴とする。
【考案の効果】
【００１０】
請求項１に記載の考案によれば、重合する第１遮光シート体及び第２遮光シート体が、密閉断熱空間を画成する多数の凹所が密集して設けられた内側シートと、この凹所の開口を閉鎖する外側シートから形成され、前記第１遮光シート体の凹所の底壁が前記第２遮光シート体の凹所の底壁に接合されていることから、ウインドガラスを透過して車内に入射する輻射熱が、日除け具の厚さ方向に２段に重なるそれぞれ独立した凹所内の密閉断熱空間で確実に遮断することが出来て、車室内が高温になるのを効率よく防止することが出来るし、しかも第１遮光シート体の凹所の底壁が前記第２遮光シート体の凹所の底壁に接合されているので、日除け具自体の強度も充分得ることができる。
【００１１】
請求項２に記載の考案によれば、請求項１に記載の第１遮光シート体と第２遮光シート体との間に仕切りシートを介装したことにより、遮光性、断熱性ならびに強度的に一層優れた日除け具とすることが出来る。
【００１２】
請求項３に記載の考案によれば、光を反射させるための反射手段を形成したことにより、請求項１または２に記載の考案の効果に加え、ウインドガラスを透過して車内に入射する輻射熱を反射層により車外に向けて反射させることが出来るので、より一層、車室内が高温になるのを防止することが出来る。
【００１３】
また請求項４に記載の考案によれば、光消臭機能を有することにより、請求項１、２または３に記載の考案の効果に加え、者室内の消臭も手軽に行なえる。
【考案を実施するための最良の形態】
【００１４】
以下、本考案の実施形態について図面を参照しながら説明する。
【００１５】
先ず、図１は本考案にかかる自動車用日除け具の一実施形態を示す正面図、図２は自動車用日除け具の要部を拡大して示す断面図、図３は自動車用日除け具の要部を分解して示す斜視図である。
【００１６】
そして図において符号Ｓで示す自動車用日除け具Ｓは、自動車のフロントウインドガラスの内面側ほぼ全面に装着できる正面視略台形状に形成されているのであって、この日除け具Ｓは、基本的には、第１遮光シート体１と第２遮光シート体２から構成されている。
【００１７】
第１遮光シート体１における第２遮光シート体２との重合面側には、多数の第１密閉断熱空間１０が密集して設けられており、また第２遮光シート体２における第１遮光シート体１との重合面側には、前記第１密閉断熱空間１０に対して日除け具Ｓの厚さ方向にオーバラップする多数の第２密閉断熱空間２０が密集して設けられている。
【００１８】
第１遮光シート体１は、ポリエチレン製の外側シート１１と、前記した第１密閉断熱空間１０を画成する多数の凹所１３が密集して設けられたポリエチレン製の内側シート１２とから構成され、外側シート１１を内側シート１２に接着することで、凹所１３内に空気が充填された状態で、凹所１３の開口が外側シート１１により閉鎖されている。
【００１９】
また第２遮光シート体２も、ポリエチレン製の外側シート２１と、前記第２密閉断熱空間２０を画成する多数の凹所２３が密集して設けられたポリエチレン製の内側シート２２とから構成され、外側シート２１を内側シート２２に接着することで、凹所２３内に空気が充填された状態で、凹所２３の開口が外側シート２１により閉鎖されている。
【００２０】
図に示す凹所１３・２３は、いずれも円柱状に形成されている。
【００２１】
そして、第１遮光シート体１の内側シート１２と第２遮光シート体２の内側シート２２とを重ね、図２に示すように、凹所１３・２３の底壁１３ａ・２３ａ同士を合わせて接合している。
【００２２】
また第１遮光シート体１の外側面を構成する外側シート１１の表面、並びに第２遮光シート体２の外側面を構成する外側シート２１の表面には、アルミを蒸着させて形成した反射手段としての反射層３がそれぞれ設けられている。
【００２３】
また第１遮光シート体１の外側面を構成する外側シート１１の表面、並びに第２遮光シート体２の外側面を構成する外側シート２１の表面に形成した反射層３の表面には、更に光触媒層（図示せず）が積層されて、光触媒機能が備えられている。
【００２４】
前述の光触媒層は、酸化チタンからなる徴微粒子の光触媒を充填したマイクロカプセルが配合された塗料（和信化学工業株式会社製の製品名「光触媒ウレタン２００コート」）が使用されている。
【００２５】
尚、図２では、表側遮光シート１を構成する両シート１１・１２並びに裏側遮光シート２を構成する両シート２１・２２を厚肉に表わしているが、これはこれらシートを図面上明確に表すためであって、実際は、表側遮光シート１を構成する両シート１１・１２並びに裏側遮光シート２を構成する両シート２１・２２は、いずれも非常に薄肉のシート材から形成されている。
【００２６】
また以上の自動車用日除け具Ｓの左右には、周りに金属製のハトメが取り付けられた貫通孔４が開けられ、この貫通孔４に吸盤５が取り外し可能に取り付けられている。
【００２７】
また以上の日除け具Ｓには複数の折曲げ線状部６が備えられて、この折り曲げ線状部６に沿って交互に反対方向に折り曲げることで、蛇腹状に折り畳めるようにしている。
【００２８】
また日除け具Ｓの周縁には、その周縁を覆う縁取りテープ７が逢着されており、またこの日除け具Ｓの一側の上下には、ゴム紐から構成されたリング状のバンド８が取り付けられている。
【００２９】
また日除け具Ｓの上縁部の中央には、この日除け具Ｓをフロントウインドガラスの内面に装着するとき、ルームミラーを通過させるための窪み９が設けられている。
【００３０】
以上の構成からなる日除け具Ｓは、図１に示すように広げて自動車のフロントウインドガラス内面側に吸盤５を介して装着するのであって、以上のように日除け具Ｓを装着することで、フロントウインドガラスを透過して車室内に入射する輻射熱が、反射層３により車室外に向けて反射されると共に、日除け具Ｓの厚さ方向に２段に重なるそれぞれ独立した第１、第２密閉断熱空間１０・２０の２層で確実に遮断されるのである。
【００３１】
従って、特に夏場などにおいて車室内が高温になるのを効率よく防止することが出来るし、また反射層３の表面に施された光触媒層の作用により、者室内を消臭することも出来る。
【００３２】
一方、以上の日除け具Ｓを使用しない場合は、図４に示すように、日除け具Ｓを折り曲げ線状部４により蛇腹状に折り畳んだ上で、その周囲にリング状のバンド６をかけて保管するのであって、以上のように日除け具Ｓを折り畳むことで嵩も小さくなり、保管が手軽となる。
【００３３】
以上の実施形態の日除け具Ｓにあっては、重量も非常に軽く、しかも第１遮光シート体１と第２遮光シート体２とから構成された２重構造となっており、且つ、第１遮光シート体１と第２遮光シート体２が重ねられて、凹所１３・２３の底壁１３ａ・２３ａ同士が合わさるように接合されているので、強度も充分確保することが出来て、長期間の使用が可能となる。
【００３４】
以上の実施形態では、第１遮光シート体１の外側面を構成する外側シート１１の表面並びに第２遮光シート体２の外側面を構成する外側シート２１の表面にそれぞれ反射層３を設けたが、これに限定されるものではなく、例えば第１遮光シート体１の外側面を構成する外側シート１１の表面にのみ反射層３を設けても良い。
【００３５】
また以上の実施形態では、第１遮光シート体１の内側シート１２と第２遮光シート体２の内側シート２２とを重ね、図２に示すように、凹所１３・２３の底壁１３ａ・２３ａ同士を合わせて接合したが、これに限定されるものではなく、図５に示すように、第１遮光シート体１と第２遮光シート体２との間に仕切りシート１００を介装するようにしてもよく、斯く構成することにより、遮光性、断熱性のみならず強度的にも一層優れた日除け具とすることが出来る。
【図面の簡単な説明】
【００３６】
【図１】本考案にかかる自動車用日除け具の一実施形態を示す正面図。
【図２】同、自動車用日除け具の要部を拡大して示す断面図。
【図３】自動車用日除け具の要部を分解して示す斜視図。
【図４】同、自動車用日除け具を折り畳んだ状態の斜視図。
【図５】本考案にかかる自動車用日除け具の別の実施形態を示す要部の拡大断面図。
【符号の説明】
【００３７】
Ｓ       日除け具
１       第１遮光シート体
１０     第１密閉断熱空間
１１     外側シート
１２     内側シート
１３     凹所
１３ａ   底壁
２       第２遮光シート体
２０     第２密閉断熱空間
２１     外側シート
２２     内側シート
２３     凹所
２３ａ   底壁
３       反射層（反射手段）
【図１】
0003134789.tif 000003
【図２】
0003134789.tif 000004
【図３】
0003134789.tif 000005
【図４】
0003134789.tif 000006
【図５】
0003134789.tif 000007